(57)【要約】【課題】本発明は、表示装置およびその駆動方法に関する。【解決手段】表示装置は、第１グループ画素および第２グループ画素に第１映像および第２映像が表示される順によって表示装置の一フレーム単位で映像ソース信号を配列する。表示装置は、映像ソース信号の一フレーム期間中の単位表示期間の整数倍期間以外の残りの期間に表示される映像の種類を映像ソース信号の一フレーム単位に変える。表示装置は、単位表示期間の整数倍期間に対応する映像ソース信号の配列に残りの期間に対応する映像ソース信号配列を加える。単位表示期間は、第１映像および第２映像が時分割されて前記第１グループ画素および前記第２グループ画素に一フレームずつ表示される期間である。【選択図】図３
2018036669.tif 000002
【特許請求の範囲】
【請求項１】
第１映像および第２映像を映像ソース信号によって表示する表示装置であって、
第１グループ画素、第２グループ画素、及び前記第１グループ画素と前記第２グループ画素に複数の走査信号を伝達する走査線及び複数のデータ信号を伝達するデータラインを含む表示部と、
前記第１映像および前記第２映像が前記第１グループ画素および前記第２グループ画素に表示される順によって表示装置の一フレーム単位で前記映像ソース信号を配列し、前記映像ソース信号の一フレーム期間中の単位表示期間の整数倍期間以外の残りの期間に表示される映像の種類を前記映像ソース信号の一フレーム単位に変え、前記単位表示期間の整数倍期間に対応する映像ソース信号の配列に前記残りの期間に対応する映像ソース信号配列を加える映像処理部と
を含み、
前記第１グループ画素が書き込まれた複数のデータ信号によって発光する発光期間と前記第２グループ画素に複数のデータ信号が伝達される走査期間が重なり、
前記複数のデータ信号は、前記映像処理部が配列した映像ソース信号による信号であり、
前記単位表示期間は、前記第１映像および前記第２映像それぞれが時分割され、前記第１グループ画素および前記第２グループ画素に前記表示装置の一フレーム単位で表示される期間である、表示装置。
【請求項２】
前記映像処理部は、
前記映像ソース信号に含まれている第１左眼映像信号および第１右眼映像信号、第２左眼映像信号および第２右眼映像信号それぞれを前記表示装置の一フレーム単位で前記第１グループ画素および前記第２グループ画素に表示される映像信号に分け、
前記分けられた映像信号を前記表示順によって配列して前記単位表示期間に対応する基本配列を構成する、請求項１に記載の表示装置。
【請求項３】
前記映像処理部は、
前記第１左眼映像信号のうちで前記第１グループ画素に表示される映像信号、前記第１左眼映像信号のうちで前記第２グループ画素に表示される映像信号、前記第１右眼映像信号のうちで前記第１グループ画素に表示される映像信号、前記第１右眼映像信号のうちで前記第２グループ画素に表示される映像信号、前記第２左眼映像信号のうちで前記第１グループ画素に表示される映像信号、前記第２左眼映像信号のうちで前記第２グループ画素に表示される映像信号、前記第２右眼映像信号のうちで前記第１グループ画素に表示される映像信号、および前記第２右眼映像信号のうちで前記第２グループ画素に表示される映像信号の順に配列して前記基本配列を構成する、請求項２に記載の表示装置。
【請求項４】
前記映像処理部は、
前記第１右眼映像信号のうちで前記第１グループ画素に表示される映像信号、前記第１右眼映像信号のうちで前記第２グループ画素に表示される映像信号、前記第１左眼映像信号のうちで前記第１グループ画素に表示される映像信号、前記第１左眼映像信号のうちで前記第２グループ画素に表示される映像信号、前記第２右眼映像信号のうちで前記第１グループ画素に表示される映像信号、前記第２右眼映像信号のうちで前記第２グループ画素に表示される映像信号、前記第２左眼映像信号のうちで前記第１グループ画素に表示される映像信号、および前記第２左眼映像信号のうちで前記第２グループ画素に表示される映像信号の順に配列して前記基本配列を構成する、請求項２に記載の表示装置。
【請求項５】
前記映像処理部は、
前記基本配列を前記単位表示期間の整数倍だけ繰り返し、
前記分けられた映像信号のうちで前記映像ソース信号の現在フレームに対応する映像種類の映像信号で前記残りの期間に対応する前記表示装置のフレーム数だけ配列し、前記繰り返された基本配列に加える、請求項２に記載の表示装置。
【請求項６】
前記第１グループ画素および前記第２グループ画素それぞれは、
書き込まれたデータ信号による駆動電流が流れる駆動トランジスタと、
前記駆動トランジスタに接続し、前記駆動電流によって発光する有機発光ダイオードと
を含み、
前記有機発光ダイオードのアノード電極電圧をリセットするリセット期間に、前記駆動トランジスタに印加される第１電源電圧が、前記有機発光ダイオードのカソード電極に印加される第２電源電圧よりも低い、請求項１に記載の表示装置。
【請求項７】
前記第１グループ画素および前記第２グループ画素それぞれは、
前記駆動トランジスタのゲート電極に接続されており、前記第１電源電圧にカップリングされているキャパシタを含み、
前記駆動トランジスタがダイオードに接続される補償期間に、前記キャパシタに前記駆動トランジスタの閾値電圧が貯蔵される、請求項６に記載の表示装置。
【請求項８】
前記発光期間に、第１電源電圧レベルが、前記リセット期間、前記補償期間、および前記走査期間の第１電源電圧レベルよりも高い、請求項７に記載の表示装置。
【請求項９】
前記表示装置の一フレームは、
前記リセット期間、前記補償期間、前記走査期間、および前記発光期間を含み、前記リセット期間、前記補償期間、前記走査期間、および前記発光期間の順に動作する、請求項７に記載の表示装置。
【請求項１０】
前記第１映像が前記第１グループ画素および前記第２グループ画素に表示される間に開放される第１シャッター眼鏡と、
前記第２映像が前記第１グループ画素および前記第２グループ画素に表示される間に開放される第２シャッター眼鏡と
を含む、請求項１に記載の表示装置。
【請求項１１】
前記第１シャッター眼鏡は、
前記第１映像の第１左眼映像信号が前記第１グループ画素および前記第２グループ画素に表示される間に開放される第１左眼レンズと、
前記第１映像の第１右眼映像信号が前記第１グループ画素および前記第２グループ画素に表示される間に開放される第２右眼レンズと
を含み
前記第２シャッター眼鏡は、
前記第２映像の第２左眼映像信号が前記第１グループ画素および前記第２グループ画素に表示される間に開放される第２左眼レンズと、
前記第２映像の第２右眼映像信号が前記第１グループ画素および前記第２グループ画素に表示される間に開放される第２右眼レンズと
を含む、請求項１０に記載の表示装置。
【請求項１２】
第１グループ画素および第２グループ画素を含む表示装置の駆動方法であって、
第１映像および第２映像を示す映像ソース信号を、前記第１映像および前記第２映像が前記第１グループ画素および前記第２グループ画素に表示される順によって表示装置の一フレーム単位で前記映像ソース信号を配列する段階と、
前記第１映像および前記第２映像が前記第１グループ画素および前記第２グループ画素に一フレームずつ表示される単位表示期間に対応する基本配列を、前記単位表示期間が前記映像ソース信号の一フレーム期間に含まれる回数だけ繰り返す段階と、
前記映像ソース信号の一フレーム期間のうちで前記単位表示期間が前記回数倍経過した後の残りの期間に表示される映像の種類を、前記映像ソース信号の一フレーム単位で交互に選択する段階と、
前記繰り返された基本配列に、前記残りの期間に対応する映像ソース信号配列を加える段階と、
前記第１グループ画素が書き込まれた複数のデータ信号によって発光する段階と、
前記第２グループ画素に複数のデータ信号が伝達される走査段階と、を含み、
前記発光する段階と前記走査段階が時間的に重なる、
表示装置の駆動方法。
【請求項１３】
前記映像ソース信号を配列する段階は、
前記映像ソース信号に含まれている第１左眼映像信号および第１右眼映像信号、第２左眼映像信号および第２右眼映像信号それぞれを、前記表示装置の一フレーム単位で前記第１グループ画素および前記第２グループ画素に表示される映像信号に分ける段階と、
前記分けられた映像信号を前記表示順によって配列して前記基本配列を構成する段階とを含む、請求項１２に記載の表示装置の駆動方法。
【請求項１４】
前記残りの期間に対応する映像ソース信号配列を加える段階は、
前記分ける段階において、分けられた映像信号のうちで前記選択された映像種類の映像信号で前記残りの期間に対応する前記表示装置のフレーム数だけ配列し、前記繰り返された基本配列に加える段階を含む、請求項１３に記載の表示装置の駆動方法。
【請求項１５】
書き込まれたデータ信号による駆動電流が流れる駆動トランジスタに接続し、前記駆動電流によって発光する有機発光ダイオードのアノード電極電圧を前記駆動トランジスタに印加される第１電源電圧を低くしてリセットする段階と、
前記駆動トランジスタがダイオード接続し、前記駆動トランジスタの閾値電圧がキャパシタに貯蔵される補償段階と
をさらに含む、請求項１２に記載の表示装置の駆動方法。
【発明の詳細な説明】
【技術分野】
【０００１】
本発明の実施形態は表示装置およびその駆動方法に関し、より詳細には、アクティブマトリクス（Ａｃｔｉｖｅ  Ｍａｔｒｉｘ）タイプの表示装置およびその駆動方法に関する。
【背景技術】
【０００２】
表示装置が立体映像を表示するとき、表示装置は左眼画像と右眼画像を交互に表示する。このとき、表示装置に入力される映像ソース信号のフレーム周波数と表示装置の駆動周波数は互いに異なる。
例えば、表示装置の駆動周波数が２４０Ｈｚであり、映像ソース信号のフレーム周波数が２４Ｈｚであれば、映像ソース信号の一フレーム期間に合計１０枚の左眼画像および右眼画像が表示装置に表示される。
このような条件で、表示装置が２つの異なる映像（Ａ、Ｂ）を立体映像として表示するとする。表示装置は、第１映像（Ａ）の左眼画像および右眼画像と第２映像（Ｂ）の左眼画像および右眼画像を配列し、映像ソース信号の一フレーム期間に１０枚を構成しなければならない。しかしながら、１０枚を構成すれば、第１映像（Ａ）および第２映像（Ｂ）のうちの１つが他の映像よりも一回多く表示される。
これは、第１映像（Ａ）と第２映像（Ｂ）の間の画質差を発生させる。
【発明の概要】
【発明が解決しようとする課題】
【０００３】
本発明は、大型化および高解像度化のうちの少なくとも１つを要求する環境において、立体映像または平面映像を表示することができる表示装置およびその駆動方法を提供することを目的とする。
【課題を解決するための手段】
【０００４】
本発明の一実施形態に係る表示装置は、第１映像および第２映像を映像ソース信号によって表示する。前記表示装置は、第１グループ画素、第２グループ画素、及び前記第１グループ画素と前記第２グループ画素に複数の走査信号を伝達する走査線及び複数のデータ信号を伝達するデータラインを含む表示部と、前記第１映像および前記第２映像が前記第１グループ画素および前記第２グループ画素に表示される順によって表示装置の一フレーム単位で前記映像ソース信号を配列する映像処理部とを含む。
【０００５】
前記映像処理部は、前記映像ソース信号の一フレーム期間中の単位表示期間の整数倍期間以外の残りの期間に表示される映像の種類を前記映像ソース信号の一フレーム単位に変え、前記単位表示期間の整数倍期間に対応する映像ソース信号の配列に前記残りの期間に対応する映像ソース信号配列を加える。前記第１グループ画素が書き込まれた複数のデータ信号によって発光する発光期間と前記第２グループ画素に複数のデータ信号が伝達される走査期間が重なり、前記複数のデータ信号は、前記映像処理部が配列した映像ソース信号による信号であり、前記単位表示期間は、前記第１映像および前記第２映像それぞれが時分割され、前記第１グループ画素および前記第２グループ画素に一フレームずつ表示される期間である。
【０００６】
前記映像処理部は、前記映像ソース信号に含まれている第１左眼映像信号および第１右眼映像信号、第２左眼映像信号および第２右眼映像信号それぞれを前記表示装置の一フレーム単位で前記第１グループ画素および前記第２グループ画素に表示される映像信号に分け、前記分けられた映像信号を前記表示順によって配列して前記単位表示期間に対応する基本配列を構成する。
【０００７】
前記映像処理部は、前記第１左眼映像信号のうちで前記第１グループ画素に表示される映像信号、前記第１左眼映像信号のうちで前記第２グループ画素に表示される映像信号、前記第１右眼映像信号のうちで前記第１グループ画素に表示される映像信号、前記第１右眼映像信号のうちで前記第２グループ画素に表示される映像信号、前記第２左眼映像信号のうちで前記第１グループ画素に表示される映像信号、前記第２左眼映像信号のうちで前記第２グループ画素に表示される映像信号、前記第２右眼映像信号のうちで前記第１グループ画素に表示される映像信号、および前記第２右眼映像信号のうちで前記第２グループ画素に表示される映像信号の順に配列して前記基本配列を構成する。
【０００８】
前記映像処理部は、前記第１右眼映像信号のうちで前記第１グループ画素に表示される映像信号、前記第１右眼映像信号のうちで前記第２グループ画素に表示される映像信号、前記第１左眼映像信号のうちで前記第１グループ画素に表示される映像信号、前記第１左眼映像信号のうちで前記第２グループ画素に表示される映像信号、前記第２右眼映像信号のうちで前記第１グループ画素に表示される映像信号、前記第２右眼映像信号のうちで前記第２グループ画素に表示される映像信号、前記第２左眼映像信号のうちで前記第１グループ画素に表示される映像信号、および前記第２左眼映像信号のうちで前記第２グループ画素に表示される映像信号順に配列して前記基本配列を構成する。
【０００９】
前記映像処理部は、前記基本配列を前記単位表示期間の整数倍だけ繰り返し、前記分けられた映像信号のうちで前記映像ソース信号の現在フレームに対応する映像種類の映像信号で前記残りの期間に対応する前記表示装置のフレーム数だけ配列し、前記繰り返された基本配列に加える。
【００１０】
前記第１グループ画素および前記第２グループ画素それぞれは、書き込まれたデータ信号による駆動電流が流れる駆動トランジスタと、前記駆動トランジスタに接続され、前記駆動電流によって発光する有機発光ダイオードとを含み、前記有機発光ダイオードのアノード電極電圧をリセットするリセット期間に、前記駆動トランジスタに印加される第１電源電圧が前記有機発光ダイオードのカソード電極に印加される第２電源電圧よりも低い。
前記第１グループ画素および前記第２グループ画素それぞれは、前記駆動トランジスタのゲート電極に接続されており、前記第１電源電圧にカップリングされているキャパシタを含み、前記駆動トランジスタがダイオード接続する補償期間に、前記キャパシタに前記駆動トランジスタの閾値電圧が貯蔵される。
前記発光期間に、第１電源電圧レベルが前記リセット期間、前記補償期間、および前記走査期間の第１電源電圧レベルよりも高い。
前記表示装置の一フレームは、前記リセット期間、前記補償期間、前記走査期間、および前記発光期間を含み、前記リセット期間、前記補償期間、前記走査期間、および前記発光期間の順に動作する。
【００１１】
前記第１グループ画素が発光するフレームで構成された第１フィールドと前記第２グループ画素が発光するフレームで構成された第２フィールドの間のブランク期間は、前記隣接した第１フィールドおよび第２フィールド間の映像種類および映像の基準視点（ｖｉｅｗ  ｐｏｉｎｔ）のうちの少なくとも１つによって相違して設定される。
前記第１フィールドおよび前記第２フィールド間のブランク個数を前記映像種類および映像の基準視点（ｖｉｅｗ  ｐｏｉｎｔ）のうちの少なくとも１つによって相違して設定し、前記第１フィールドおよび前記第２フィールド間のブランク個数は、前記第１フィールドの発光期間とこれに隣接した前記第２フィールドの発光期間の間の期間を示す。
前記表示装置は、前記ブランク個数が小数点以下の数を有さないように、前記ブランク個数を前記映像種類および映像の基準視点（ｖｉｅｗ  ｐｏｉｎｔ）のうちの少なくとも１つによって相違して設定する。
【００１２】
前記表示装置は、前記映像ソース信号の一フレームあたりに割り当てられたブランク個数を前記映像ソース信号の一フレームに含まれる前記表示装置のフレーム個数で割った値の小数点以下を切り捨てた整数で基本ブランク個数を設定し、前記隣接した第１フィールドおよび前記第２フィールド間の映像種類が異なるときのブランク個数は、前記基本ブランク個数よりも大きく設定する。
前記表示装置は、前記隣接した第１フィールドおよび前記第２フィールド間映像の基準視点（ｖｉｅｗ  ｐｏｉｎｔ）が異なるときのブランク個数は、前記基本ブランク個数よりも大きく設定する。
前記表示装置は、前記垂直同期信号間のブランク個数を前記隣接したフィールド間の映像種類および映像の基準視点（ｖｉｅｗ  ｐｏｉｎｔ）のうちのいずれか１つによって相違して設定するタイミング制御部をさらに含む。
【００１３】
前記表示装置は、前記第１映像が前記第１グループ画素および前記第２グループ画素に表示される間に開放される第１シャッター眼鏡と、前記第２映像が前記第１グループ画素および前記第２グループ画素に表示される間に開放される第２シャッター眼鏡とを含む。
前記第１シャッター眼鏡は、前記第１映像の第１左眼映像信号が前記第１グループ画素および前記第２グループ画素に表示される間に開放される第１左眼レンズと、前記第１映像の第１右眼映像信号が前記第１グループ画素および前記第２グループ画素に表示される間に開放される第２右眼レンズとを含み、前記第２シャッター眼鏡は、前記第２映像の第２左眼映像信号が前記第１グループ画素および前記第２グループ画素に表示される間に開放される第２左眼レンズと、前記第２映像の第２右眼映像信号が前記第１グループ画素および前記第２グループ画素に表示される間の開放される第２右眼レンズとを含む。
【００１４】
本発明の実施形態の他の特徴に係る表示装置は、第１映像および第２映像を示す映像ソース信号によって前記第１映像および前記第２映像を立体映像で表示する。前記表示装置は、第１グループ画素および第２グループ画素を含む表示部と、前記第１映像および前記第２映像が前記第１グループ画素および前記第２グループ画素に表示される順によって表示装置の一フレーム単位で前記映像ソース信号を配列する映像処理部と、前記第１グループ画素が発光するフレームで構成された第１フィールドと前記第２グループ画素が発光するフレームで構成された第２フィールドの間のブランク期間を、前記隣接した第１フィールドおよび第２フィールド間の映像種類および映像の基準視点（ｖｉｅｗ  ｐｏｉｎｔ）のうちのいずれか１つによって設定するタイミング制御部とを含む。
【００１５】
前記映像処理部は、前記映像ソース信号の一フレーム期間中の単位表示期間の整数倍期間以外の残りの期間に表示される映像の種類を前記映像ソース信号の一フレーム単位に変え、前記単位表示期間の整数倍期間に対応する映像ソース信号の配列に前記残りの期間に対応する映像ソース信号配列を加える。前記映像ソース信号は、第１左眼映像信号、第１右眼映像信号、第２左眼映像信号、および第２右眼映像信号を含み、前記単位表示期間は、前記第１左眼映像信号、前記第１右眼映像信号、前記第２左眼映像信号、および前記第２右眼映像信号が前記表示装置の一フレーム単位で前記第１グループ画素および前記第２グループ画素に前記表示順によって表示される期間である。
【００１６】
前記第１左眼映像信号と前記第１右眼映像信号、そして前記第２左眼映像信号と前記第２右眼映像信号は、前記映像の基準視点（ｖｉｅｗ  ｐｏｉｎｔ）が互いに異なる信号であり、前記単位表示期間は、前記第１左眼映像信号と前記第１右眼映像信号、および前記前記第２左眼映像信号と前記第２右眼映像信号が前記第１グループ画素および前記第２グループ画素に一フレームずつ表示される期間である。
【００１７】
前記第１フィールドおよび前記第２フィールドそれぞれに含まれる前記表示装置の一フレームは、複数の画素にデータ信号が書き込まれる走査期間と、書き込まれたデータによって前記複数の画素が発光する発光期間とを含み、前記第１フィールドの発光期間と前記第２フィールドの走査期間が重なる。
前記表示装置の一フレームは、前記画素の有機発光ダイオードのアノード電圧をリセットさせるリセット期間と、前記有機発光ダイオードに駆動電流を供給する駆動トランジスタの閾値電圧を補償する補償期間とをさらに含む。
前記駆動トランジスタに供給される第１電源電圧の前記発光期間におけるレベルは、前記リセット期間、前記補償期間、および前記走査期間のうちの少なくとも１つの期間におけるレベルと異なる。
【００１８】
本発明の実施形態に他の特徴に係る表示装置の駆動方法は、第１グループ画素および第２グループ画素を含む表示装置に適用される。前記表示装置の駆動方法は、第１映像および第２映像を示す映像ソース信号を前記第１映像および前記第２映像が前記第１グループ画素および前記第２グループ画素に表示される順によって表示装置の一フレーム単位で前記映像ソース信号を配列する段階と、前記第１映像および前記第２映像が前記第１グループ画素および前記第２グループ画素に一フレームずつ表示される単位表示期間に対応する基本配列を前記単位表示期間が前記映像ソース信号の一フレーム期間に含まれる回数だけ繰り返す段階と、前記映像ソース信号の一フレーム期間中の前記単位表示期間が前記回数倍を経過した後の残りの期間に表示される映像の種類を前記映像ソース信号の一フレーム単位で交互に選択する段階と、前記繰り返された基本配列に前記残りの期間に対応する映像ソース信号配列を加える段階と、前記第１グループ画素が書き込まれた複数のデータ信号によって発光する段階と、前記第２グループ画素に複数のデータ信号が伝達される走査段階と、を含み、前記発光する段階と前記走査段階が時間的に重なる。
【００１９】
前記映像ソース信号を配列する段階は、前記映像ソース信号に含まれている第１左眼映像信号および第１右眼映像信号、第２左眼映像信号および第２右眼映像信号それぞれを前記表示装置の一フレーム単位で前記第１グループ画素および前記第２グループ画素に表示される映像信号に分ける段階と、前記分けられた映像信号を前記表示順によって配列して前記基本配列を構成する段階とを含む。
前記残りの期間に対応する映像ソース信号配列を加える段階は、前記分ける段階で分けられた映像信号のうちから前記選択した映像種類の映像信号で前記残りの期間に対応する前記表示装置のフレーム数だけ配列し、前記繰り返された基本配列に加える段階を含む。
【００２０】
前記表示装置の駆動方法は、書き込まれたデータ信号による駆動電流が流れる駆動トランジスタに接続し、前記駆動電流によって発光する有機発光ダイオードのアノード電極電圧を前記駆動トランジスタに印加される第１電源電圧を低くしてリセットする段階と、前記駆動トランジスタがダイオード接続し、前記駆動トランジスタの閾値電圧がキャパシタに貯蔵される補償段階とをさらに含む。
【００２１】
前記表示装置の駆動方法は、前記第１グループ画素が発光するフレームで構成された第１フィールドと前記第２グループ画素が発光するフレームで構成された第２フィールドの間のブランク期間が、前記隣接した第１フィールドおよび第２フィールド間の映像種類および映像の基準視点（ｖｉｅｗ  ｐｏｉｎｔ）のうちの少なくとも１つによって相違して設定される段階をさらに含む表示装置の駆動方法。
前記ブランク期間が設定される段階は、前記第１フィールドおよび前記第２フィールド間の映像種類および映像の基準視点（ｖｉｅｗ  ｐｏｉｎｔ）のうちの少なくとも１つにより、前記隣接した第１フィールドおよび前記第２フィールド間のブランク個数を相違して設定する段階を含み、前記第１フィールドおよび前記第２フィールド間のブランク個数は、前記第１フィールドの発光期間とこれに隣接した前記第２フィールドの発光期間の間の期間を示す。
【００２２】
前記ブランク個数を設定する段階は、前記映像ソース信号の一フレームあたりに割り当てられたブランク個数を前記映像ソース信号の一フレームに含まれる前記表示装置のフレーム個数で割った値の小数点以下を切り捨てた整数で基本ブランク個数を設定する段階と、前記隣接した第１フィールドおよび前記第２フィールド間の映像種類が異なるときのブランク個数は、前記基本ブランク個数よりも大きく設定する段階とを含む。
前記ブランク個数を設定する段階は、前記映像ソース信号の一フレームあたりに割り当てられたブランク個数を前記映像ソース信号の一フレームに含まれる前記表示装置のフレーム個数で割った値の小数点以下を切り捨てた整数で基本ブランク個数を設定する段階と、前記隣接した第１フィールドおよび前記第２フィールド間映像の基準視点（ｖｉｅｗ  ｐｏｉｎｔ）が異なるときのブランク個数は、前記基本ブランク個数よりも大きく設定する段階とを含む。
【発明の効果】
【００２３】
モーションアーチファクトを減少させることができ、発光時間を最大限確保することができる表示装置およびその駆動方法を提供する。このような効果により、大型化および高解像度化のうちの少なくとも１つを要求する環境において、立体映像を従来に比べて低い駆動周波数で表示する表示装置および表示装置の駆動方法が提供される。
また、互いに異なる２つの映像を１つの表示装置で表示するとき、２つの映像間に画質差が生じることを防止することができる表示装置およびその駆動方法を提供する。
【図面の簡単な説明】
【００２４】
【図１】本発明の一実施形態に係る表示装置の駆動方式を示す図である。
【図２】本発明の実施形態に係る表示装置を示す図である。
【図３】映像ソース信号の２つのフレーム期間に表示装置が表示する複数のフレームを示す図である。
【図４】本発明の実施形態に係る表示部を示す図である。
【図５】第１グループ画素を示す図である。
【図６】第２グループ画素を示す図である。
【図７】本発明の実施形態の駆動方式のうちの１つによる第１電源電圧、第２電源電圧、複数の走査信号、補償制御信号、およびデータ信号を示す図である。
【図８】本発明の実施形態の駆動方式のうちの別の１つによる第１電源電圧、第２電源電圧、複数の走査信号、補償制御信号、およびデータ信号を示す図である。
【図９】本発明の実施形態に係る駆動方式において、隣接した発光期間の間のブランク個数を示す図である。
【発明を実施するための形態】
【００２５】
以下、添付の図面を参照しながら、本発明の実施形態について、本発明が属する技術分野において通常の知識を有する者が容易に実施できるように詳しく説明する。しかしながら、本発明は多様に相違した形態で実現されることができ、明細書中で説明する実施形態に限定されることはない。図面において、本発明を明確に説明するために、説明上で不必要な部分は省略した。明細書全体に渡って類似した部分については、類似した図面符号を付与した。
明細書全体において、ある部分が他の部分と「接続」されているとするとき、これは「直接的に接続」されている場合だけではなく、その中間に他の要素を間において「電気的に接続」されている場合も含む。ある部分がある構成要素を「含む」とするとき、これは特に限定する記載がない限り、他の構成要素を除外するのではなく、他の構成要素をさらに包含することを意味する。
【００２６】
図１は、本発明の一実施形態に係る表示装置の駆動方式を示す図である。
本発明の一実施形態に係る駆動方式によって動作する表示装置のパネルは、第１グループ画素および第２グループ画素を含む。第１グループ画素は複数の画素のうちの奇数フレームで発光する画素であり、第２グループ画素は複数の画素のうちの偶数フレームで発光する画素である。以下、複数の奇数フレームが連続的に配列されたものを第１フィールドとし、複数の偶数フレームが連続的に配列されたものを第２フィールドとする。
【００２７】
また、表示装置は、２つの互いに異なる２つの第１映像（Ａ）および（Ｂ）を立体映像で表示する。表示装置は、立体映像を表示するために、Ａ映像の左眼画像（Ａ＿Ｌ）を第１フィールドの一フレーム（Ａ＿ＬＥ）および第２フィールドの一フレーム（Ａ＿ＬＯ）に表示し、Ａ映像の右眼画像（Ａ＿Ｒ）を第１フィールドの一フレーム（Ａ＿ＲＥ）および第２フィールドの一フレーム（Ａ＿ＲＯ）に表示する。左眼画像は、映像の基本視点（ｖｉｅｗ  ｐｏｉｎｔ）を左眼とする画像であり、右眼画像は、映像の基本視点（ｖｉｅｗ  ｐｏｉｎｔ）を右眼とする画像である。
表示装置は、Ａ映像に続いてＢ映像の左眼画像（Ｂ＿Ｌ）を第１フィールドの一フレーム（Ｂ＿ＬＥ）および第２フィールドの一フレーム（Ｂ＿ＬＯ）に表示し、Ｂ映像の右眼画像（Ｂ＿Ｒ）を第１フィールドの一フレーム（Ｂ＿ＲＥ）および第２フィールドの一フレーム（Ｂ＿ＲＯ）に表示する。
しかしながら、本発明はこれに限定されることはなく、Ａ映像の右眼画像（Ａ＿Ｒ）が左眼画像（Ａ＿Ｌ）よりも先に表示されてもよい。同様に、Ｂ映像の右眼画像（Ｂ＿Ｒ）が左眼画像（Ｂ＿Ｌ）よりも先に表示されてもよい。
【００２８】
一フレームは、リセット期間１、補償期間２、走査期間３、および発光期間４を順に含む。各期間については、後述して説明する。
また、第１フィールド（ＥＦＤ）と第２フィールド（ＯＦＤ）は、所定期間（ＳＦ）だけ移動した時点に同期されて駆動する。具体的に、第１フィールド（ＥＦＤ）の一フレーム（Ａ＿ＬＥ）に時間的に隣接する第２フィールドの一フレーム（Ａ＿ＬＯ）は、時間的に一フレーム（Ａ＿ＬＥ）から期間（ＳＦ）だけシフトされる。期間（ＳＦ）は、走査期間３が互いに重ならないように設定される。
【００２９】
第１グループ画素が発光する期間４に、第２グループ画素それぞれには対応するデータ信号が書き込まれる走査期間３が発生する。同様に、第２グループ画素が発光する期間４に、第１グループ画素それぞれには対応するデータ信号が書き込まれる走査期間３が発生する。したがって、走査期間３を十分に確保することができ、表示パネルを駆動させるための時間的マージン（ｍａｒｇｉｎ）が増加する。
また、走査周波数を低くすることができるため、データ信号を生成してデータ線に伝達するデータ駆動部および走査信号を生成する走査駆動部の帯域幅が減少し、回路部品のコストを減少させることができる。
さらに、第１グループ画素の発光時間４と第２グループ画素の発光時間４が分散されるため、発光時間に必要な最高電流が減少し、表示装置に電源を供給する電源回路のコストを減少させることができる。
【００３０】
図２は、本発明の実施形態に係る表示装置を示す図である。
図２に示すように、表示装置１０は、映像処理部１００、タイミング制御部２００、データ駆動部３００、走査駆動部４００、電源制御部５００、補償制御信号部６００、および表示部７００を含む。
上述した表示パネルは、表示部７００だけでなく、映像処理部１００、タイミング制御部２００、データ駆動部３００、走査駆動部４００、電源制御部５００、および補償制御信号部６００のうちの少なくとも１つをさらに含む概念であってもよい。
【００３１】
映像処理部１００は、入力信号（ＩｎＳ）から映像表示信号（ＩｍＳ）および同期信号を生成する。同期信号は、水平同期信号（Ｈｓｙｎｃ）、垂直同期信号（Ｖｓｙｎｃ）、およびメインクロック信号（ＣＬＫ）を含む。
映像処理部１００は、入力信号（ＩｎＳ）に含まれている２つの映像（Ａ，Ｂ）を示す信号（以下、映像ソース信号）が立体映像を表示する信号である場合、左眼画像を示す左眼映像信号および右眼画像を示す右眼映像信号に区分する。
本発明の実施形態に係る映像処理部１００に入力される入力信号（ＩｎＳ）は、互いに異なる２つの第１映像（Ａ）および第２映像（Ｂ）を示す映像ソース信号を含む。
【００３２】
映像処理部１００は、第１映像（Ａ）および第２映像（Ｂ）が第１グループ画素（Ｅ）および前記第２グループ画素（Ｏ）に表示される順により、表示装置１０の一フレーム単位で映像ソース信号を配列する。
映像処理部１００は、映像ソース信号の一フレーム期間中の単位表示期間の整数倍期間以外の残りの期間に表示される映像の種類を映像ソース信号の一フレーム単位に変える。単位表示期間は、第１映像（Ａ）および第２映像（Ｂ）それぞれが時分割され、第１グループ画素（Ｅ）および第２グループ画素（Ｏ）に表示装置の一フレーム単位で表示される期間である。
【００３３】
具体的には、映像ソース信号は、第１映像を示す第１映像ソース信号（ＡＳ）および第２映像を示す第２映像ソース信号（ＢＳ）を含む。本発明の実施形態に係る表示装置１０は、第１映像（Ａ）および第２映像（Ｂ）を立体映像で表示する。
このとき、第１映像ソース信号（ＡＳ）は、第１左眼映像信号（ＡＳＬ）および第１右眼映像信号（ＡＳＲ）を含む。第２映像ソース信号（ＢＳ）は、第２左眼映像信号（ＢＳＬ）および第２右眼映像信号（ＢＳＲ）を含む。
映像処理部１００は、入力信号（ＩｎＳ）から第１左眼映像信号（ＡＳＬ）、第１右眼映像信号（ＡＳＲ）、第２左眼映像信号（ＢＳＬ）、および第２右眼映像信号（ＢＳＲ）を検出する。映像処理部１００は、第１左眼映像信号（ＡＳＬ）、第１右眼映像信号（ＡＳＲ）、第２左眼映像信号（ＢＳＬ）、および第２右眼映像信号（ＢＳＲ）を表示順によって配列する。
【００３４】
表示順は、図１に示す第１グループ画素（Ｅ）および第２グループ画素（Ｏ）に第１映像および第２映像が表示される順を意味する。例えば、本発明の実施形態では、第１左眼映像信号（ＡＳＬ）が第１グループ画素（Ｅ）に一フレーム表示され、第２グループ画素（Ｏ）に一フレーム表示され、第１右眼映像信号（ＡＳＲ）が第１グループ画素（Ｅ）に一フレーム表示され、第２グループ画素（Ｏ）に一フレーム表示される。次に、第２左眼映像信号（ＢＳＬ）が第１グループ画素（Ｅ）に一フレーム表示され、第２グループ画素（Ｏ）に一フレーム表示され、第２右眼映像信号（ＢＳＲ）が第１グループ画素（Ｅ）に一フレーム表示され、第２グループ画素（Ｏ）に一フレーム表示される。このとき、単位表示期間は、表示装置１０の８フレームが表示される期間である。
【００３５】
以下、８フレームを基本配列とする実施形態について説明する。
映像処理部１００は、第１左眼映像信号（ＡＳＬ）のうちで第１グループ画素に書き込まれる映像信号（ＡＳＬ＿Ｅ）および第２グループ画素に書き込まれる映像信号（ＡＳＬ＿Ｏ）を分ける。同様に、映像処理部１００は、第１右眼映像信号（ＡＳＲ）、第２左眼映像信号（ＢＳＬ）、および第２右眼映像信号（ＢＳＲ）それぞれを第１グループ画素に書き込まれる映像信号（ＡＳＲ＿Ｅ，ＢＳＬ＿Ｅ，ＢＳＲ＿Ｅ）および第２グループ画素に書き込まれる映像信号（ＡＳＲ＿Ｏ，ＢＳＬ＿Ｏ，ＢＳＲ＿Ｏ）に分ける。
【００３６】
映像処理部１００は、表示順によって映像信号（ＡＳＬ＿Ｅ，ＡＳＲ＿Ｅ，ＢＳＬ＿Ｅ，ＢＳＲ＿Ｅ）および映像信号（ＡＳＬ＿Ｏ，ＡＳＲ＿Ｏ，ＢＳＬ＿Ｏ，ＢＳＲ＿Ｏ）を一フレーム単位で配列する。図１に示す表示順により、複数の映像信号ＡＳＬ＿Ｅ，ＡＳＬ＿Ｏ，ＡＳＲ＿Ｅ，ＡＳＲ＿Ｏ，ＢＳＬ＿Ｅ，ＢＳＬ＿Ｏ，ＢＳＲ＿Ｅ，ＢＳＲ＿Ｏそれぞれの一フレームずつを配列して基本配列を構成する。しかしながら、本発明の基本配列はこれに限定されることはない。右眼映像が左眼映像よりも先に表示されるとき、映像処理部１００は、複数の映像信号ＡＳＲ＿Ｅ，ＡＳＲ＿Ｏ，ＡＳＬ＿Ｅ，ＡＳＬ＿Ｏ，ＢＳＲ＿Ｅ，ＢＳＲ＿Ｏ，ＢＳＬ＿Ｅ，ＢＳＬ＿Ｏそれぞれの一フレームずつを配列して基本配列を構成する。
【００３７】
映像処理部１００は、このような順で映像信号を繰り返して配列し、残りの期間に表示される映像信号の種類は、映像ソース信号の一フレーム期間単位に変える。実施形態において、残りの期間は、映像ソース信号の一フレーム期間を単位表示期間で割ったときの期間である。映像信号の種類は、第１映像（Ａ）および第２映像（Ｂ）のうちのいずれか１つを意味する。
すなわち、映像ソース信号の一フレーム期間のうちの単位表示期間の整数倍期間は基本配列によって映像が表示され、映像ソース信号の一フレーム期間のうちの残りの期間には基本配列ではない第１映像（Ａ）または第２映像（Ｂ）が立体映像で表示される。映像ソース信号の一フレーム単位で残りの期間に表示される映像の種類は変わる。
【００３８】
図３を参照しながら、残りの期間に映像信号の種類を変更しながら動作する駆動方法について詳細に説明する。
図３は、映像ソース信号の２つのフレーム期間に表示装置が表示する複数のフレームを示す図である。
図３において、表示装置１０の各フレームの発光期間４を区分するために、図１の図面符号をそのまま使用する。例えば、図３において、「Ａ＿ＬＥ」および「Ａ＿ＬＯ」それぞれは、第１フィールド（ＥＦＤ）の一フレーム（Ａ＿ＬＥ）の発光期間４と第２フィールド（ＯＦＤ）の一フレーム（Ａ＿ＬＯ）の発光期間４を示す。
【００３９】
映像ソース信号の一フレーム期間は、時点Ｔ１から時点Ｔ２までの期間である。図３では、基本配列によって映像が表示される単位表示期間（ＰＢ）が期間Ｔ１−Ｔ２に２回（ＰＢ＿１、ＰＢ＿２）含まれるものと示されているが、本発明はこれに限定されることはない。すなわち、期間Ｔ１−Ｔ２は、単位表示期間（ＰＢ１）の整数倍を含んでもよい。
期間Ｔ１−Ｔ２を単位表示期間（ＰＢ１）で割ったときの残りの期間、すなわち、残りの期間（ＰＲ１）に、表示装置１０は、第１映像（Ａ）の映像信号（ＡＳＬ＿Ｌ，ＡＳＬ＿Ｏ，ＡＳＲ＿Ｅ，ＡＳＲ＿Ｏ）を表示する。
次の映像ソース信号の一フレーム期間Ｔ２−Ｔ３における残りの期間（ＰＲ２）に、表示装置１０は、第２映像（Ｂ）の映像信号（ＢＳＬ＿Ｅ，ＢＳＬ＿Ｏ，ＢＳＲ＿Ｅ，ＢＳＲ＿Ｏ）を表示する。
【００４０】
したがって、映像処理部１００は、映像ソース信号の一フレーム単位で第１映像（Ａ）および第２映像（Ｂ）のうちの１つを交互に選択し、選択された映像を示す映像信号を単位表示期間（ＰＢ１）の整数倍（図３では２倍）後に追加して配列する。
このように、映像処理部１００は、映像ソース信号の一フレーム単位で第１映像（Ａ）および第２映像（Ｂ）を示す映像信号（ＡＳＬ＿Ｌ，ＡＳＬ＿Ｏ，ＡＳＲ＿Ｅ，ＡＳＲ＿Ｏ，ＳＬ＿Ｅ，ＢＳＬ＿Ｏ，ＢＳＲ＿Ｅ，ＢＳＲ＿Ｏ）を配列して映像表示信号（ＩｍＳ）を生成する。
【００４１】
映像処理部１００は、表示装置１０の駆動周波数による垂直同期信号（Ｖｓｙｎｃ）、水平同期信号（Ｈｓｙｎｃ）、およびメインクロック信号（ＣＬＫ）を生成してもよい。映像処理部１００は、表示装置の駆動周波数を映像信号のフレーム周波数で割って基本配列の回数を決定し、残りの期間を算出する。
フレーム周波数が２４ｈｚであり、駆動周波数が２４０ｈｚであるとき、割った結果は１０となる。表示装置１０の一周期動作中に、図１に示すように、第１フィールド（ＥＦＤ）の一フレームおよび第２フィールド（ＯＦＤ）の一フレームを表示する。したがって表示装置１０は、映像ソース信号の一フレーム間に２０個の画像を表示することができる。基本配列は表示装置１０の８フレームで構成されるため、映像処理部１００は、基本配列の回数を２に決定し、残りの期間を表示装置の４フレームと算出する。
【００４２】
映像処理部１００は、映像ソース信号のフレームごとに交互に残りの期間に表示される映像の種類を決定する。
このように、映像処理部１００は、映像ソース信号のフレームごとに、基本配列の回数、残りの期間、および残りの期間に表示される映像の種類を決定し、決定された内容によって映像信号を配列して映像表示信号（ＩｍＳ）を生成する。
【００４３】
タイミング制御部２００は、映像表示信号（ＩｍＳ）、垂直同期信号（Ｖｓｙｎｃ）、水平同期信号（Ｈｓｙｎｃ）、およびメインクロック信号（ＣＬＫ）により、第１〜第４駆動制御信号（ＣＯＮＴ１−ＣＯＮＴ４）、および映像データ信号（ＩｍＤ）を生成する。
タイミング制御部２００は、垂直同期信号（Ｖｓｙｎｃ）によって第１フィールドまたは第２フィールドのフレーム単位で映像表示信号（ＩｍＳ）を区分し、水平同期信号（Ｈｓｙｎｃ）によって走査ライン単位で映像表示信号（ＩｍＳ）を区分して映像データ信号（ＩｍＤ）を生成し、データ駆動部３００に第１駆動制御信号（ＣＯＮＴ１）と共に送信する。
【００４４】
データ駆動部３００は、第１駆動制御信号（ＣＯＮＴ１）によって入力された映像データ信号（ＩｍＤ）をサンプリングおよびホールディングし、複数のデータ線それぞれに複数のデータ信号（ｄａｔａ［１］−ｄａｔａ［ｍ］）を伝達する。
走査駆動部４００は、第２駆動制御信号（ＣＯＮＴ２）により、リセット期間１および補償期間２中には複数の走査信号（Ｓ［１］−Ｓ［ｎ］）をゲート−オンレベルで生成して複数の走査線に同時に伝達し、走査期間３中には複数の走査（Ｓ［１］−Ｓ［ｎ］）を順にゲート−オンレベルで生成して複数の走査線のうちで対応する走査線に伝達する。発光期間４の走査駆動部４００は、すべての複数の走査信号（Ｓ［１］−Ｓ［ｎ］）をゲート−オフレベルに生成する。
【００４５】
電源制御部５００は、第３駆動制御信号（ＣＯＮＴ３）により、第１グループ画素および第２グループ画素それぞれのリセット期間１、補償期間２、走査期間３、および発光期間４によって電源電圧（ＥＶＤＤ，ＥＶＳＳ，ＯＶＤＤ，ＯＶＳＳ）のレベルを決定し、電源線に供給する。
補償制御信号部６００は、第４駆動制御信号（ＣＯＮＴ４）により、第１グループ画素および第２グループ画素それぞれの補償期間２の補償制御信号（ＧＣＥ，ＧＣＯ）のレベルを決定して制御信号線に供給する。
タイミング制御部２００は、第１シャッター眼鏡８００の左眼レンズ（８００＿Ｌ）および右眼レンズ（８００＿Ｒ）の開閉を制御するための第１眼鏡駆動信号（ＧＤＳ１）、および第２シャッター眼鏡９００の左眼レンズ（９００＿Ｌ）および右眼レンズ（９００＿Ｒ）の動作を制御するための第２眼鏡駆動信号（ＧＤＳ２）を生成する。
【００４６】
図３を参照すれば、第１映像（Ａ）の左眼映像信号（ＡＳＬ＿Ｅ，ＡＳＬ＿Ｏ）による映像が表示される期間（ＰＳ１）に、第１眼鏡駆動信号（ＧＤＳ１）によって第１シャッター眼鏡８００の左眼レンズ（８００＿Ｌ）は開放され、右眼レンズ（８００＿Ｒ）は閉鎖される。
第１映像（Ａ）の右眼映像信号（ＡＳＲ＿Ｅ，ＡＳＲ＿Ｏ）による映像が表示される期間（ＰＳ２）に、第１眼鏡駆動信号（ＧＤＳ１）によって第１シャッター眼鏡８００の左眼レンズ（８００＿Ｌ）は閉鎖され、右眼レンズ（８００＿Ｒ）は開放される。
第２映像（Ｂ）の左眼映像信号（ＢＳＬ＿Ｅ，ＢＳＬ＿Ｏ）による映像が表示される期間（ＰＳ３）に、第２眼鏡駆動信号（ＧＤＳ２）によって第２シャッター眼鏡９００の左眼レンズ（９００＿Ｌ）は開放され、右眼レンズ（９００＿Ｒ）は閉鎖される。
第２映像（Ｂ）の右眼映像信号（ＢＳＲ＿Ｅ，ＢＳＲ＿Ｏ）による映像が表示される期間（ＰＳ４）に、第２眼鏡駆動信号（ＧＤＳ２）によって第２シャッター眼鏡９００の右眼レンズ（９００＿Ｒ）は開放され、左眼レンズ（９００＿Ｌ）は閉鎖される。
【００４７】
表示部７００は、第１グループ画素および第２グループ画素を含む表示領域に、複数のデータ信号（ｄａｔａ［１］−ｄａｔａ［ｎ］）を伝達する複数のデータ線、複数の走査信号（Ｓ［１］−Ｓ［ｎ］）を伝達する複数の走査線、複数の電源線、および複数の制御信号線が形成されており、複数のデータ線および複数の走査線が交差する領域に形成されている複数の画素を含む。
【００４８】
図４は、本発明の実施形態に係る表示部を示す図である。図４に示す表示部７００において、第１グループ画素および第２グループ画素は２×１パターンで配列されているが、本発明はこれに限定されることはない。
図４では、複数の走査信号（Ｓ［１］−Ｓ［ｎ］）を伝達する複数の走査線（Ｓ１−Ｓｎ）、複数のデータ信号（ｄａｔａ［１］−ｄａｔａ［ｍ］）を伝達する複数のデータ線（Ｄ１−Ｄｍ）、第１グループ画素（Ｅ）に電源電圧（ＥＶＤＤ）を供給する複数の第１電源配線（ＶＤＤＥ１−ＶＤＤＥｋ＋１）、第２グループ画素（Ｏ）に電源電圧（ＯＶＤＤ）を供給する複数の第２電源配線（ＶＤＤＯ１−ＶＤＤＯｋ）、第１グループ画素（Ｅ）に補償制御信号（ＧＣＥ）を伝達する複数の第１制御信号線（ＧＣＥ１−ＧＣＥｒ）、および第２グループ画素（Ｏ）に補償制御信号（ＧＣＯ）を伝達する複数の第２制御信号線（ＧＣＯ１−ＧＣＯｒ＋１）が示されている。
【００４９】
複数の第１制御信号線（ＧＣＥ１−ＧＣＥｒ）と複数の第２制御信号線（ＧＣＯ１−ＧＣＯｒ＋１）は、一行ずつ交互に配列される。複数の第１電源配線（ＶＤＤＥ１−ＶＤＤＥｋ＋１）と複数の第２電源配線（ＶＤＤＯ１−ＶＤＤＯｋ）は、一列ずつ交互に配列される。しかしながら、本発明はこれに限定されることはなく、複数の第１制御信号線（ＧＣＥ１−ＧＣＥｒ）と複数の第２制御信号線（ＧＣＯ１−ＧＣＯｒ＋１）が一列ずつ交互に配列されてもよく、複数の第１電源配線（ＶＤＤＥ１−ＶＤＤＥｋ＋１）と複数の第２電源配線（ＶＤＤＯ１−ＶＤＤＯｋ）は一行ずつ交互に配列されてもよい。
【００５０】
また、複数の第１制御信号線（ＧＣＥ１−ＧＣＥｒ）と複数の第２制御信号線（ＧＣＯ１−ＧＣＯｒ＋１）は一行ずつ配列され、さらに他の複数の第１制御信号線と複数の第２制御信号線が一列ずつ交互に配列されてもよい。
そして、行方向に配列された複数の第１制御信号線と列方向に配列された複数の第１制御信号線同士が交差する場所が、電気的に接続されている接続点であってもよい。また、行方向に配列された複数の第２制御信号線と列方向に配列された複数の第２制御信号線同士が交差する場所が、電気的に接続されている接続点であってもよい。これを、メッシュ（ｍｅｓｈ）構造という。同じような方式により、複数の第１電源配線および複数の第２電源配線もメッシュ構造で形成されてもよい。
【００５１】
第１グループ画素（Ｅ）および第２グループ画素（Ｏ）は、複数の走査線（Ｓ１−Ｓｎ）および複数のデータ線（Ｄ１−Ｄｍ）が交差する領域に２×１パターンで交互に配列されている。第１グループ画素（Ｅ）および第２グループ画素（Ｏ）のパターンは、２×１パターンに限定されることはなく、多様なパターンが適用されてもよい。
各行には、第１グループ画素（Ｅ）と第２グループ画素（Ｏ）が交互に配列されている。複数の走査線（Ｓ１−Ｓｎ）それぞれには、各行の第１グループ画素（Ｅ）および第２グループ画素（Ｏ）が接続されている。複数のデータ線（Ｄ１−Ｄｍ）それぞれには、各列の第１グループ画素（Ｅ）および第２グループ画素（Ｏ）が接続されている。
【００５２】
走査線（Ｓ１，Ｓｎ）に接続されている第２グループ画素（Ｏ）は、第２補償制御線（ＧＣＯ１，ＧＣＯｒ＋１）に接続されている。走査線（Ｓ１）に接続されている第１グループ画素（Ｅ）および走査線（Ｓ２）に接続されている第１グループ画素（Ｅ）は、第１補償制御線（ＧＣＥ１）に接続されている。走査線（Ｓ２）に接続されている第２グループ画素（Ｏ）および走査線（Ｓ３）に接続されている第２グループ画素（Ｏ）は、第２補償制御線（ＧＣＯ２）に接続されている。
同じような接続方式により、第１グループ画素（Ｅ）および第２グループ画素（Ｏ）は、対応する第１補償制御線または第２補償制御線に接続されている。
【００５３】
データ線（Ｄ１、Ｄｍ）に接続されている第１グループ画素（Ｅ）は、第１電源配線（ＶＤＤＥ１，ＶＤＤＥｋ＋１）に接続されている。データ線（Ｄ２）およびデータ線（Ｄ３）に接続されている第１グループ画素（Ｅ）は、第１電源配線（ＶＤＤＥ２）に接続されている。データ線（Ｄ１）およびデータ線（Ｄ２）に接続されている第２グループ画素（Ｏ）は、第１電源配線（ＶＤＤＯ１）に接続されている。
同じような接続方式により、第１グループ画素（Ｅ）および第２グループ画素（Ｏ）は、対応する第１補償制御線または第２補償制御線に接続されている。
【００５４】
図５は、第１グループ画素を示す図である。図５では、走査線（Ｓｉ）およびデータ線（Ｄｊ）に接続されている第１グループ画素（Ｅｉｊ）が示されている。
図５に示すように、第１グループ画素（Ｅ）のうちの一画素（Ｅｉｊ）は、スイッチングトランジスタ（ＥＴＳ）、駆動トランジスタ（ＥＴＲ）、補償トランジスタ（ＥＴＨ）、補償キャパシタ（ＥＣＨ）、および貯蔵キャパシタ（ＥＣＳ）を含む。
【００５５】
駆動トランジスタ（ＥＴＲ）は、有機発光ダイオード（ＯＬＥＤ＿Ｅ）のアノード電極が接続されているドレイン電極、補償キャパシタ（ＥＣＨ）の一電極に接続されているゲート電極、および第１電源電圧（ＥＶＤＤ）に接続されているソース電極を含む。駆動トランジスタ（ＥＴＲ）は、有機発光ダイオード（ＯＬＥＤ＿Ｅ）に供給される駆動電流を制御する。
補償トランジスタ（ＥＴＨ）は、第１補償制御信号（ＧＣＥ）が入力されるゲート電極、および駆動トランジスタ（ＥＴＲ）のドレイン電極およびゲート電極それぞれに接続されている２つの電極を含む。
補償キャパシタ（ＥＣＨ）の他電極は、貯蔵キャパシタ（ＥＣＳ）の一電極およびスイッチングトランジスタ（ＥＣＳ）の一電極に接続されている。貯蔵キャパシタ（ＥＣＳ）の他電極は、第１電源電圧（ＥＶＤＤ）に接続されている。
【００５６】
スイッチングトランジスタ（ＥＣＳ）のゲート電極には走査信号（Ｓ［ｉ］）が入力され、スイッチングトランジスタ（ＥＣＳ）の他電極はデータライン（Ｄｊ）に接続されている。データライン（Ｄｊ）を通じてデータ信号（ｄａｔａ［ｊ］）が伝達される。
有機発光ダイオード（ＯＬＥＤ＿Ｅ）のカソード電極は、第２電源電圧（ＥＶＳＳ）に接続される。
電源電圧（ＥＶＤＤ）および電源電圧（ＥＶＳＳ）は、画素動作に必要な駆動電圧を供給する。具体的には、電源電圧（ＥＶＤＤ）および電源電圧（ＥＶＳＳ）は、駆動トランジスタ（ＥＴＲ）および有機発光ダイオード（ＯＬＥＤ＿Ｅ）がリセット期間１、補償期間２、走査期間３、および発光期間４それぞれによって動作に必要な駆動電圧を供給する
【００５７】
以下、駆動トランジスタを通じてアノード電極に接続される電源電圧を第１グループ画素および第２グループ画素の区分なく第１電源電圧とし、カソード電極に接続される電源電圧を第１グループ画素および第２グループ画素の区分なく第２電源電圧とする。
【００５８】
図６は、第２グループ画素を示す図である。図６では、走査線（Ｓｐ）およびデータ線（Ｄｑ）に接続されている第２グループ画素（Ｅｐｑ）が示されている。
図６に示すように、第２グループ画素（Ｏ）のうちの一画素（Ｅｐｑ）は、スイッチングトランジスタ（ＯＴＳ）、駆動トランジスタ（ＯＴＲ）、補償トランジスタ（ＯＴＨ）、補償キャパシタ（ＯＣＨ）、および貯蔵キャパシタ（ＯＣＳ）を含む。
【００５９】
駆動トランジスタ（ＯＴＲ）は、有機発光ダイオード（ＯＬＥＤ＿Ｏ）のアノード電極が接続されているドレイン電極、補償キャパシタ（ＯＣＨ）の一電極に接続されているゲート電極、および第３電源電圧（ＯＶＤＤ）に接続されているソース電極を含む。
補償トランジスタ（ＯＴＨ）は、第２補償制御信号（ＧＣＯ）が入力されるゲート電極、および駆動トランジスタ（ＯＴＲ）のドレイン電極およびゲート電極それぞれに接続されている２つの電極を含む。
補償キャパシタ（ＯＣＨ）の他電極は、貯蔵キャパシタ（ＯＣＳ）の一電極およびスイッチングトランジスタ（ＯＴＳ）の一電極に接続されている。貯蔵キャパシタ（ＯＣＳ）の他電極は、第１電源電圧（ＯＶＤＤ）に接続されている。
【００６０】
スイッチングトランジスタ（ＯＴＳ）のゲート電極には走査信号（Ｓ［ｐ］）が入力され、スイッチングトランジスタ（ＯＴＳ）の他電極はデータライン（Ｄｑ）に接続されている。データライン（Ｄｑ）を通じてデータ信号（ｄａｔａ［ｑ］）が伝達される。
有機発光ダイオード（ＯＬＥＤ＿Ｏ）のカソード電極は、第２電源電圧（ＯＶＳＳ）に接続される。
第１電源電圧（ＯＶＤＤ）は、リセット期間１、補償期間２、走査期間３、および発光期間４によって少なくとも２つのレベルを有する。第２補償制御信号（ＧＣＯ）は、補償期間２にだけ補償トランジスタ（ＯＴＨ）をターンオンさせるレベルとなる。
【００６１】
以下、図７および図８を参照しながら、本発明の実施形態に係る表示装置の駆動方法について説明する。
まず、図７を参照しながら、駆動方法のうちの一例を説明する。
図７は、本発明の実施形態の駆動方式のうちの１つによる第１電源電圧、第２電源電圧、複数の走査信号、補償制御信号、およびデータ信号を示す図である。
図７には、リセット期間１以前に初期化期間をさらに含むものとして示されているが、本発明の実施形態はこれに限定されることはなく、初期化期間を含まなくてもよい。
図７は、第１フィールドの一フレーム期間に信号の波形を示すものである。しかしながら、第２フィールドの一フレーム期間の信号の波形も同じである。各信号による画素の動作は、図５を参照しながら共に説明する。
【００６２】
初期化期間にハイレベルであった走査信号（Ｓ［１］−Ｓ［ｎ］）がローレベルに減少する。このとき、データ信号（ｄａｔａ［１］−ｄａｔａ［ｍ］）がハイレベルであるため、駆動トランジスタ（ＥＴＲ）はターンオフされる。初期化期間には、すべての画素が特定電圧に初期化される。フレームごとの動作が始まる前に初期化期間があるため、以前フレームの影響をなくし、すべての画素が同じ条件で補償動作およびデータ信号入力動作が行われる。
以前フレームの影響を受けないため、以前フレームに入力されたデータ信号によって駆動トランジスタの初期動作状態が変わることを防ぐことができる。初期状態が異なることによって発生する残像発現、動画遅延、３Ｄ表示時の左右視点間のクロストーク（Ｃｒｏｓｓｔａｌｋ）などの画質劣化を防ぎ、画質が均一になる。
【００６３】
リセット期間１に、電源電圧（ＥＶＳＳ）はハイレベルで維持され、複数のデータ信号（ｄａｔａ［１］−ｄａｔａ［ｎ］）はリセット期間１中にローレベルとなり、所定期間（ＲＴ１）に維持される。
データ信号（ｄａｔａ［１］−ｄａｔａ［ｎ］）の電圧が低ければ、画素の駆動トランジスタ（ＥＴＲおよびＯＴＲ）のゲート電圧が十分に下がり、駆動トランジスタ（ＥＴＲおよびＯＴＲ）がより多くの電流を流すことができる。リセット期間１に有機発光ダイオード（ＯＬＥＤ＿Ｅ，ＯＬＥＤ＿Ｏ）のアノード電圧を電源電圧（ＥＶＤＤ，ＯＶＤＤ）と同じになるように、有機発光ダイオード（ＯＬＥＤ）に内在する（ｉｎｔｒｉｎｓｉｃ）キャパシタに貯蔵された電圧（通常、ＶＳＳ対比０〜３Ｖ程度の高さ）を放電させる。すなわち、データ信号（ｄａｔａ［１］−ｄａｔａ［ｎ］）の電圧が最低値となり、駆動トランジスタ（ＥＴＲおよびＯＴＲ）の電流駆動能力が最大化されるため、最短時間に有機発光ダイオード（ＯＬＥＤ）のアノード電圧を低くすることができる。
【００６４】
リセット期間１に、複数の走査信号（Ｓ［１］−Ｓ［ｎ］）のレベルは、リセット期間１のうちの少なくとも期間（ＲＴ１）と所定期間が重なる期間にローレベルでなければならない。本発明の実施形態では、リセット期間１および補償期間２に複数の走査信号（Ｓ［１］−Ｓ［ｎ］）がローレベルであると設定する。図７では、複数の走査信号（Ｓ［１］−Ｓ［ｎ］）のうちで走査信号（Ｓ［ｉ］）が示されている。
リセット期間１と補償期間２の間には、所定の間隔（ｉｎｔｅｒｖａｌ）（ＰＴ１）が存在する。リセット期間１が終了した時点に、電源電圧（ＥＶＳＳ）はローレベル０Ｖに下降する。補償期間２の開始時点に、第１補償制御信号（ＧＣＥ）はローレベルに減少し、補償期間２にローレベルで維持される。複数のデータ信号（ｄａｔａ［１］−ｄａｔａ［ｍ］）はハイレベルであり、電源電圧（ＥＶＤＤ）はローレベルで維持されている。
【００６５】
第１補償制御信号（ＧＣＥ）によって補償トランジスタ（ＥＴＨ）がターンオンされ、駆動トランジスタ（ＥＴＲ）はダイオード接続し、駆動トランジスタ（ＥＴＲ）のゲート電極には電源電圧（ＥＶＤＤ）から駆動トランジスタ（ＥＴＲ）の閾値電圧だけ差し引かれた電圧が供給される。このとき、補償キャパシタ（ＥＣＨ）は、データ信号（ｄａｔａ［ｊ］）の電圧と電源電圧（ＥＶＤＤ）から閾値電圧（ＶＴＨ）が差し引かれた電圧（ＥＶＤＤ−ＶＴＨ）の差に相当する電圧で充電される。
補償期間２と走査期間３の間の所定の間隔（ＰＴ２）が存在し、間隔（ＰＴ２）のうちの複数の走査信号（Ｓ［１］−Ｓ［ｉ］）はすべてハイレベルとなる。
【００６６】
走査期間３に、複数の走査信号（Ｓ［１］−Ｓ［ｎ］）は順にローレベルとなり、スイッチングトランジスタ（ＥＴＳ）をターンオンさせる。スイッチングトランジスタ（ＥＴＳ）がターンオンされている期間に、データ信号（ｄａｔａ［ｊ］）が補償キャパシタ（ＥＣＨ）の他電極および貯蔵キャパシタ（ＥＣＳ）の一電極が出会う接続点（ＮＤ）に伝達される。
補償キャパシタ（ＥＣＨ）の一電極は、駆動トランジスタ（ＥＴＲ）のゲート電極に接続されており、フローティング状態である。接続点（ＮＤ）の電圧変化量は、貯蔵キャパシタ（ＥＣＳ）と補償キャパシタ（ＥＣＨ）の間の容量比によって分配され、補償キャパシタ（ＥＣＨ）に分配された電圧変化量（ΔＶ）は駆動トランジスタ（ＥＴＲ）のゲート電圧に反映される。したがって、走査期間３に駆動トランジスタ（ＥＴＲ）のゲート電圧は、ＥＶＤＤ（補償期間におけるＥＶＤＤ電圧レベル、例えば３Ｖ）−ＶＴＨ＋ΔＶとなる。
走査期間３が終了すれば、複数のデータ信号（ｄａｔａ［１］−ｄａｔａ［ｍ］）はハイレベルの電圧となり、走査期間３と発光期間４の間の所定の間隔（ＰＴ３）が存在する
【００６７】
発光期間４が始まれば、電源電圧（ＥＶＤＤ）はハイレベルに上昇し、複数の走査信号（Ｓ［１］−Ｓ［ｎ］）もハイレベルからより高いレベルに上昇する。走査信号（Ｓ［ｉ］）がより高いレベルに上昇すれば、スイッチングトランジスタ（ＥＴＳ）がフルオフされ、発光期間４に発生し得る漏洩電流を遮断することができる。発光期間４前まではノード（ＮＤ）の電圧がほぼデータ線（Ｄｊ）の電圧範囲内にあったため、スイッチトランジスタ（ＥＴＳ）両端ドレイン−ソース（Ｄｒａｉｎ−Ｓｏｕｒｃｅ）間の電圧差が大きくない。
【００６８】
発光期間４の開始時点に電源電圧（ＥＶＤＤ）が上昇すれば、キャパシタ（ＥＣＳおよびＥＣＨ）のカップリング（ｃｏｕｐｌｉｎｇ）作用により、ノード（ＮＤ）の電圧と駆動トランジスタ（ＥＴＲ）のゲート電圧が上昇する。
例えば、電源電圧（ＥＶＤＤ）が２Ｖから１２Ｖに上昇すれば、ノード（ＮＤ）の電圧も１０Ｖ上昇するため、スイッチングトランジスタ（ＥＴＳ）のドレイン−ソース電圧はそれだけ増加する。通常、トランジスタの漏洩電流はドレイン−ソース電圧に比例するため、ノード（ＮＤ）からデータ線に流れる漏洩電流が増加する。
【００６９】
したがって、データ線（Ｄｊ）の電圧をカップリング（ｃｏｕｐｌｉｎｇ）によって上昇するノード（ＮＤ）電圧の少なくとも中間値程度に引き上げれば、スイッチングトランジスタ（ＥＴＳ）のドレイン−ソース電圧が減少し、漏洩電流を低くすることができる。
例えば、走査期間にデータ信号の電圧範囲が１〜６Ｖであれば、走査期間直後のノード（ＮＤ）の電圧もこの範囲内の値になるであろう。電源電圧（ＥＶＤＤ）が１０Ｖ上昇すればノード（ＮＤ）の電圧範囲は１１〜１６Ｖとなり、最悪の場合、データ線（Ｄｊ）の電圧は１Ｖ、ノード（ＮＤ）の電圧は１６Ｖとなり、スイッチングトランジスタのドレイン−ソース電圧が１５Ｖにもなる。
しかし、発光期間４のデータ線（Ｄｊ）の電圧を１３．５Ｖに引き上げれば、最悪の場合、ドレイン−ソース電圧は２．５Ｖにしかならない。したがって、漏洩電流をほぼ１／６（２．５／１５）に減らすことができる。
【００７０】
電源電圧（ＥＶＤＤ）が上昇したため、駆動トランジスタ（ＥＴＲ）は、ソース電圧とゲート電圧の差による駆動電流が発生する。駆動トランジスタ（ＥＴＲ）のソース電圧（ＥＶＤＤ）（１２Ｖ）からゲート電圧（ＥＶＤＤ３Ｖ）−ＶＴＨ＋ΔＶ）を引いた電圧に閾値電圧（ＶＴＨ）を再び引くため、駆動トランジスタ（ＥＴＲ）の駆動電流は電圧（９Ｖ−ΔＶ）の二乗に対応する電流となる。すなわち、駆動トランジスタ間の閾値電圧の偏差により、駆動電流間の同一データ信号による偏差は発生しない。
発光期間４が終了すれば電源電圧（ＥＶＤＤ）はローレベルとなり、発光オフ期間（ＰＴ４）が発生する。発光オフ期間（ＰＴ４）は次のフレームと現在フレームの間の間隔であり、画素は発光しない。
【００７１】
図７では、第１フィールド（ＥＦＤ）に発光する画素を例示して説明したが、第２フィールド（ＯＦＤ）に発光する画素もこれと同じような方法によって発光する。また、ハイレベルまたはローレベルの例として挙げた電圧レベルは一例に過ぎず、本発明はこれに限定されることはない。
【００７２】
図８は、本発明の実施形態の駆動方式のうちの他の１つによる第１電源電圧、第２電源電圧、複数の走査信号、補償制御信号、およびデータ信号を示す図である。
図８に示す駆動方式によれば、第２電源電圧（ＥＶＳＳ、ＯＶＳＳ）は一定の電圧で維持され、第１グループ画素および第２グループ画素の区分なく、すべての画素に１つの電極で供給される。
したがって、第１フィールド（ＥＦＤ）の発光期間４と第２フィールド（ＯＦＤ）のリセット期間１は重なってはならず、第２フィールド（ＯＦＤ）の発光期間４と第１フィールド（ＥＦＤ）のリセット期間１は重なってはならない。
【００７３】
図８に示すリセット期間１で、電源電圧（ＥＶＤＤ）は、図７に示すリセット期間１における第１電源電圧（ＥＶＤＤ）よりもさらに低いローレベルである。例えば、第１電源電圧（ＥＶＤＤ）は、図７では０Ｖであり、図８では−３Ｖであってもよい。図８において、第２電源電圧（ＥＶＳＳ）はローレベル０Ｖで維持される。
電源電圧（ＥＶＤＤ）が−３Ｖとなれば、有機発光ダイオード（ＯＬＥＤ＿Ｅ）のアノード電極電圧が−３Ｖに近い低い電圧となり、リセット動作が実行される。
リセット期間１中の複数の走査信号（Ｓ［１］−Ｓ［ｎ］）のレベルは、リセット動作と関係なくてもよい。
【００７４】
リセット期間１には、電源電圧（ＥＶＤＤ）と電源電圧（ＥＶＳＳ）の電圧差が逆転する。これにより、有機発光ダイオード（ＯＬＥＤ）のアノード電圧が電源電圧（ＥＶＤＤ）よりも高まり、駆動トランジスタの観点では、有機発光ダイオード（ＯＬＥＤ）のアノードがソースとなる。駆動トランジスタ（ＥＴＲ，ＯＴＲ）のゲート電圧はほぼ電源電圧（ＥＶＤＤ，ＯＶＤＤ）と類似するが、有機発光ダイオード（ＯＬＥＤ＿Ｅ，ＯＬＥＤ＿Ｏ）のアノード電圧は、これよりも高い電圧（電源電圧（ＶＳＳ）＋有機発光ダイオード（ＯＬＥＤ＿Ｅ，ＯＬＥＤ＿Ｏ）に貯蔵されていた０〜３Ｖの電圧）であるため、駆動トランジスタ（ＥＴＲ，ＯＴＲ）のゲート−ソース電圧が十分に負の電圧となり、駆動トランジスタ（ＥＴＲ，ＯＴＲ）はターンオンされる。
【００７５】
このとき、駆動トランジスタ（ＥＴＲ，ＯＴＲ）を通じて流れる電流は、有機発光ダイオード（ＯＬＥＤ＿Ｅ，ＯＬＥＤ＿Ｏ）のアノードから電源電圧（ＥＶＤＤ，ＯＶＤＤ）方向に流れて、究極的には、有機発光ダイオード（ＯＬＥＤ＿Ｅ，ＯＬＥＤ＿Ｏ）のアノード電圧が電源電圧（ＥＶＤＤ，ＯＶＤＤ）と同じになるまで流れる。ただし、電源電圧（ＥＶＤＤ，ＯＶＤＤ）を十分に低い電圧とすることができず、駆動トランジスタ（ＥＴＲ，ＯＴＲ）のゲート電圧を十分に低くすることができない場合もある。
【００７６】
これを防ぐために、リセット期間１にデータ信号（ｄａｔａ［１］−ｄａｔａ［ｍ］）の電圧を低い電圧に設定し、走査信号（Ｓ［１］−Ｓ［ｎ］）をローレベルに設定してゲート電圧を低くしてもよい。図８では、データ信号が低い電圧になるものと示されている。しかしながら、本発明はこれに限定されことはなく、上述したように、電源電圧（ＥＶＤＤ）が十分に低い場合、データ信号を低いレベルに変更せずに、走査信号はすべてハイレベルでも問題ない。
リセット期間１中にリセット動作が完了すれば、電源電圧（ＥＶＤＤ）は、ローレベル−３Ｖからローレベル３Ｖに上昇する。残りの期間の動作は、図７を参照して説明した内容と同じであるため、省略する。
【００７７】
以上で説明した本発明の実施形態に係る表示装置は、映像ソース信号の一フレームのうちの残りの期間に、Ａ映像およびＢ映像のうちの１つを映像ソース信号のフレーム単位で交互に表示する。これにより、２つの映像間の画質差を防ぐことができる。
図３に示す複数の発光期間（Ａ＿ＬＥ，Ａ＿ＬＯ，Ａ＿ＲＥ，Ａ＿ＲＯ，Ｂ＿ＬＥ，Ｂ＿ＬＯ，Ｂ＿ＲＥ，Ｂ＿ＲＯ）の間には、所定のブランク期間が存在する。ブランク期間は、図１に示す第１フィールド（ＥＦＤ）の発光期間４とこれに隣接した第２フィールド（ＯＦＤ）の発光期間４の間の期間に対応する。ブランク期間はブランクの個数で示す。ブランクの個数が大きいほど、ブランク期間が長い。
【００７８】
本発明の実施形態では、映像ソース信号の一フレーム期間にブランクの個数を９０個とする。これは一例に過ぎず、本発明はこれに限定されることはない。しかしながら、映像ソース信号の一フレーム期間に発光期間４が２０個である場合（図３参照）、９０個のブランク個数を均一に分けるとき、ブランクの個数が発光期間４の１つあたり４．５個となる。０．５は小数点以下の数であり、デジタル信号で実現するときには、より多くのメモリ容量が要求される。また、これを発光期間４ごとに正確にするためにロジック（ｌｏｇｉｃ）が複雑になり、原価上昇の原因となる。
もし、小数点以下を切り捨ててブランク個数を４としたならば、映像ソース信号の一フレーム期間のうちの隣接した発光期間４の間にブランク個数１４が存在する。これにより、隣接した発光期間４の間のブランク期間の差によってフリッカー（ｆｌｉｃｋｅｒ）が視認されるという問題点が発生することがある。
【００７９】
本発明の実施形態では、これを解決するために、フィールド間のブランク期間を隣接したフィールド間の映像種類によって相違して設定してもよい。または、フィールド間のブランク期間を隣接したフィールド間映像の基準視点（ｖｉｅｗ  ｐｏｉｎｔ）によって相違して設定してもよい。上述した左眼画像は、映像生成の基準視点（ｖｉｅｗ  ｐｏｉｎｔ）が左眼であるときの画像であり、右眼画像は、映像生成の基準視点が右眼であるときの画像である。フィールド間のブランク個数を隣接したフィールド間の映像種類および基準視点によって相違して設定してもよい。
すなわち、フィールド間のブランク個数を、隣接したフィールド間の映像種類および映像の基準視点（ｖｉｅｗ  ｐｏｉｎｔ）のうちの少なくともいずれか１つによって相違して設定する。このとき、フィールド間のブランク個数が小数点以下の数を有さないように、適切に設定してもよい。
【００８０】
図９は、本発明の実施形態に係る駆動方式によって隣接した発光期間の間のブランク個数を示す図である。
図９に示すように、基本的に、第１フィールドおよび第２フィールド間のブランク個数は、映像ソース信号の一フレームあたりに割り当てられたブランク個数を映像ソース信号の一フレームに含まれる表示装置１０のフレーム個数で割った値の小数点以下を切り捨て、基本ブランク個数を整数で定める。
また、隣接したフィールド間映像の基準視点（ｖｉｅｗ  ｐｏｉｎｔ）が異なるとき、すなわち、左眼画像および右眼画像間のブランク個数は基本ブランク個数に１を加える。さらに、互いに異なる映像のフィールド間ブランク個数も基本フランク個数に１を加える。「１」は一例に過ぎず、映像ソース信号の一フレーム期間の間の全体ブランク個数が小数点以下の数を有さないように、残りブランク個数が適切に分配される。
【００８１】
第１映像（Ａ）の左眼画像（Ａ＿ＬＥ）が表示される第１フィールドと左眼画像（Ａ＿ＬＯ）が表示される第２フィールドの間のブランクの個数は４に設定される。第１映像（Ａ）の左眼画像（Ａ＿ＬＯ）が表示される第２フィールドと第１映像（Ａ）右眼画像（Ａ＿ＲＥ）が表示される第１フィールドのブランクの個数は５である。また、第１映像（Ａ）の右眼画像（Ａ＿ＲＯ）が表示される第２フィールドと第２映像（Ｂ）の左眼画像（Ｂ＿ＬＥ）が表示される第１フィールドの間のブランクの個数は５である。
このような方式によってブランク期間を調節し、フリッカー発生を防ぐことができる。
【００８２】
タイミング制御部２００は、図９に示す方式を実現するために、垂直同期信号（Ｖｓｙｎｃ）間のブランク個数を隣接したフィールド間の映像種類または映像の基準視点（ｖｉｅｗ  ｐｏｉｎｔ）によって相違して設定する。垂直同期信号（Ｖｓｙｎｃ）間のブランク個数とは、以前フレームの終了を指示する時点と現在フレームの開始を指示する時点間のブランク個数を意味する。
例えば、タイミング制御部２００は、同じ映像を示す隣接したフィールドそれぞれの垂直同期信号（Ｖｓｙｎｃ）間の基本ブランク個数４、他の映像を示す隣接したフィールドそれぞれの垂直同期信号（Ｖｓｙｎｃ）間のブランク個数５、および他の映像基準視点を示す隣接したフィールドそれぞれの垂直同期信号（Ｖｓｙｎｃ）間のブランク個数５を相違して設定してもよい。
【００８３】
図９において、他の映像を示す隣接したフィールドそれぞれの垂直同期信号（Ｖｓｙｎｃ）間のブランク個数５、および他の映像基準視点を示す隣接したフィールドそれぞれの垂直同期信号（Ｖｓｙｎｃ）間のブランク個数５は同じように設定されたが、本発明はこれに限定されることはなく、互いに異なる個数であってもよい。
【００８４】
以上、本発明の実施形態について詳細に説明したが、本発明の権利範囲はこれに限定されることはなく、添付した特許請求の範囲で定義している本発明の基本概念を利用した当業者の多様な変形および改良形態も、本発明の権利範囲に属する。
【符号の説明】
【００８５】
１００  映像処理部
２００  タイミング制御部
３００  データ駆動部
４００  走査駆動部
５００  電源制御部
６００  補償制御信号部
７００  表示部
Ｅ  第１グループ画素
Ｏ  第２グループ画素
Ｓ１，Ｓ２，Ｓ３，Ｓ４，Ｓ５，Ｓｎ  走査線
Ｄ１，Ｄ２，Ｄ３，Ｄ４，Ｄ５，Ｄｍ  データ線
ＥＴＳ，ＯＴＳ  スイッチングトランジスタ
ＥＴＲ，ＯＴＲ  駆動トランジスタ
ＥＴＨ，ＯＴＨ  補償トランジスタ
ＥＣＨ，ＯＣＨ  補償キャパシタ
ＥＣＳ，ＯＣＳ  貯蔵キャパシタ
Ｅｉｊ，Ｅｐｑ  画素
ＡＳ  第１映像ソース信号
ＡＳＬ  第１左眼映像信号
ＡＳＲ  第１右眼映像信号
ＢＳ  第２映像ソース信号
ＢＳＬ  第２左眼映像信号
ＢＳＲ  第２右眼映像信号
ＩｎＳ  入力信号
ＩｍＳ  映像表示信号
ＩｍＤ  映像データ信号
Ｖｓｙｎｃ  垂直同期信号
Ｈｓｙｎｃ  水平同期信号
ＣＬＫ  メインクロック信号
【図１】
2018036669.tif 000003
【図２】
2018036669.tif 000004
【図３】
2018036669.tif 000005
【図４】
2018036669.tif 000006
【図５】
2018036669.tif 000007
【図６】
2018036669.tif 000008
【図７】
2018036669.tif 000009
【図８】
2018036669.tif 000010
【図９】
2018036669.tif 000011